(57)【要約】【課題】幅狭な金属帯であっても巻き取った後の金属帯コイルをバラけることなく簡便に結束する。【解決手段】金属帯処理ラインの巻き取り設備における巻き取り軸に、表面軸方向に凹溝４を２つ以上設けた円筒状スリーブ２を装着し、当該スリーブに所望の金属帯を巻き取った後、金属帯コイル１を円筒状スリーブ２とともに巻き取り軸から外し、取り外した前記円筒状スリーブ２の凹溝４にバンド３を通して巻き取った金属帯コイル１のみを縛り、その後に巻き取った金属帯コイル１からスリーブ２を抜き取る。  スリーブに所望の金属帯を巻き取った後、円筒状スリーブの凹溝にバンドを通して巻き取った金属帯コイルのみを縛り、金属帯コイルを円筒状スリーブとともに巻き取り軸から外し、その後に巻き取った金属帯コイルからスリーブを抜き取ってもよい。【選択図】図４
2010099661.tif 000002
【特許請求の範囲】
【請求項１】
金属帯処理ラインの巻き取り設備における巻き取り軸に、表面軸方向に凹溝を２つ以上設けた円筒状スリーブを装着し、当該スリーブに所望の金属帯を巻き取った後、金属帯コイルを円筒状スリーブとともに巻き取り軸から外し、取り外した前記円筒状スリーブの凹溝にバンドを通して巻き取った金属帯コイルのみを縛り、その後に巻き取った金属帯コイルからスリーブを抜き取ることを特徴とする金属帯コイルの結束方法。
【請求項２】
金属帯処理ラインの巻き取り設備における巻き取り軸に、表面軸方向に凹溝を２つ以上設けた円筒状スリーブを装着し、当該スリーブに所望の金属帯を巻き取った後、前記円筒状スリーブの凹溝にバンドを通して巻き取った金属帯コイルのみを縛り、金属帯コイルを円筒状スリーブとともに巻き取り軸から外し、その後に巻き取った金属帯コイルからスリーブを抜き取ることを特徴とする金属帯コイルの結束方法。
【請求項３】
円筒状スリーブとして、紙製またはゴム製のものを使用する請求項１または２に記載の金属帯コイルの結束方法。
【請求項４】
金属帯処理ラインの巻き取り設備における巻き取り軸に装着する円筒状スリーブであって、表面軸方向に凹溝を２つ以上設けたことを特徴とする金属帯巻き取り用スリーブ。
【請求項５】
材質が紙またはゴムである請求項４に記載に金属帯巻き取り用スリーブ。
【発明の詳細な説明】
【技術分野】
【０００１】
本発明は、板幅の狭い鋼帯等の金属帯（以下、「金属帯」と総称する。）巻取り設備において、巻き取り軸に装着する円筒状のスリーブに巻き取った金属帯コイルをバラけることなく簡便に結束する方法およびその結束に用いるための巻取りスリーブに関する。
【背景技術】
【０００２】
薄板や狭幅の鋼板をスリットしスリーブを用いることなく、巻取り軸の外周に周方向に間隔をあけて設けられたセグメントに直接金属帯を巻き取ると、図１に示すように金属帯を変形させつつ巻き取る形態となり、セグメントを半径方向内方に変位させて巻取り軸から外した後にも形状不良が残存し、金属帯コイルを巻き戻して加工する際に矯正作業が必要となって、コストアップに繋がる。
そこで、図２に見られるように、巻き取り軸装着したスリーブ２に金属帯を巻き取った後にスリーブ２を巻き取り軸から外し、その後に巻き取った金属帯コイル１からスリーブ２を抜き取り、巻き取った金属帯コイル１だけをバンド３止めすることが行われている。スリーブを巻き取った金属帯コイルとスリーブを一緒にバンド止めすることもあるが、納入先によってはスリーブがスクラップになることや、納入先の設備や作業上の面でスリーブが不要となる場合もあり、金属帯コイルからスリーブを外して納入しなければならないケースが多く見られる。
【０００３】
スリーブとしては、一般的にはゴム製や紙製のものが用いられている。スリーブに巻き取った金属帯コイルから、スリーブを逆転させながら抜き取っている。
ところが、巻き取り軸装着したスリーブに金属帯を巻き取る際、巻き取る金属帯の材質や寸法により、金属帯の厚みやあるいは先端部の反りなどの形状が原因で、先端部に重なる２巻き目およびそれ以降の金属帯に先端部分の段差や形状が転写されて面折れ現象が起こり、いわゆるリールマーク、あるいはトップマークと呼ばれる欠陥が金属帯に発生し易くなる。
このため、スリーブに、金属帯に欠陥を発生させないように各種の対策を講じているのが現状である（例えば、特許文献１参照）。
【特許文献１】特開平９−２０６８３０号公報
【発明の開示】
【発明が解決しようとする課題】
【０００４】
ところで、金属帯巻き取り装置を持つ各種の設備では、厚さ０．２ｍｍ程度から３．５ｍｍ程度まで、幅１０ｍｍ程度から２０００ｍｍ程度の各種金属帯を巻き取り軸に装着したスリーブに巻き取った後、巻き取った金属帯をスリーブとともに巻き取り軸から外し、その後にスリーブを金属帯コイルから抜きとっている。
例えば幅が５００ｍｍを超えるような幅広の金属帯コイルではさほど問題にならないかもしれないが、例えばホースバンドなどの用途に用いるような幅１０数ｍｍ程度の幅狭な金属コイルでは、スリーブを引き抜いて金属帯コイルだけをバンド止めしようとすると、金属帯、特にコイルの内径側の金属帯がバラけて、バンド止めすることができなく場合が多々ある。
【０００５】
本発明は、このような問題点を解消するために案出されたものであり、幅狭な金属帯であっても巻き取った後の金属帯コイルをバラけることなく簡便に結束する方法を提供することを目的とする。
【課題を解決するための手段】
【０００６】
本発明の金属帯コイルの結束方法は、その目的を達成するため、金属帯処理ラインの巻き取り設備における巻き取り軸に、表面軸方向に凹溝を２つ以上設けた円筒状スリーブを装着し、当該スリーブに所望の金属帯を巻き取った後、金属帯コイルを円筒状スリーブとともに巻き取り軸から外し、取り外した前記円筒状スリーブの凹溝にバンドを通して巻き取った金属帯コイルのみを縛り、その後に巻き取った金属帯コイルからスリーブを抜き取ることを特徴とする。
【０００７】
スリーブに所望の金属帯を巻き取った後、前記円筒状スリーブの凹溝にバンドを通して巻き取った金属帯コイルのみを縛り、金属帯コイルを円筒状スリーブとともに巻き取り軸から外し、その後に巻き取った金属帯コイルからスリーブを抜き取ってもよい。
本発明の金属帯コイルの結束方法を適用する際には、表面軸方向に凹溝を２つ以上設けた円筒状スリーブが用いられる。
設けられる凹溝としては、金属帯コイルを止めるバンドの厚さよりも深く、前記バンドの幅よりも広い幅の溝を２つ以上、例えば３つ設けることが好ましい。
また、円筒状スリーブとして、紙製またはゴム製のものが使用できる。
【発明の効果】
【０００８】
本発明の本発明の金属帯コイルの結束方法では、金属帯処理ラインの巻き取り設備における巻き取り軸に通常用いる円筒状のスリーブに代わって、表面軸方向に凹溝を２つ以上設けた円筒状スリーブを用いている。このため、金属帯を巻き取って、金属帯コイルを円筒状スリーブとともに巻き取り軸から外した後、円筒状スリーブの凹溝にバンドを通して巻き取った金属帯コイルのみを縛り、その後に巻き取った金属帯コイルからスリーブを抜き取ることができるので、巻き取ったコイルの内径側の金属帯がバラけることを防止して、円滑にバンド止めすることが可能となる。金属帯を巻き取った後、円筒状スリーブの凹溝にバンドを通して巻き取った金属帯コイルのみを縛り、金属帯コイルを円筒状スリーブとともに巻き取り軸から外し、その後に巻き取った金属帯コイルからスリーブを抜き取っても、同様に円滑にバンド止めすることができる。
また、このような円筒状スリーブとして紙製またはゴム製のものを用いることにより、全体としてコスト削減に繋がる。
【発明を実施するための最良の形態】
【０００９】
金属帯巻き取り装置の金属帯を巻き取る軸に装着したスリーブに、金属帯を巻き取った後、巻き取った金属帯をスリーブとともに巻き取り軸から外し、その後にスリーブを金属帯コイルから抜きとり、金属帯コイルのみをバンド止めして結束する際に、金属帯、特にコイルの内径側の金属帯がバラけて、バンド止めすることができなく場合が多々あり、結束作業の効率を低下させるばかりでなく、金属帯そのものの出荷ができなくなるといった問題点が生じている。
【００１０】
そこで、本発明者等は、特に幅狭の金属帯を巻き取って結束する際にあってもコイルの内径側の金属帯がバラけることを防止する手段について鋭意検討を重ねてきた。
その過程で、金属帯を巻き取るスリーブとして、表面軸方向に凹溝を２つ以上設けたものを用いることが有効であることを見出した。
以下にその詳細を説明する。
【００１１】
まず、用いる巻き取りスリーブから説明する。
本発明の狭幅金属帯コイルの結束方法に用いる巻き取りスリーブ２には、図３に示すように、表面軸方向に２つ以上の凹溝４を設ける。簡便に、かつ安定的に結束するためには３つ設けることが好ましい。
設ける溝の形状・サイズとしては、コイルを縛る金属やプラスチックなどからなるベルトおよび金属ワイヤなどが問題なく挿通可能な形状・サイズとする。金属ワイヤで縛る場合には、金属ワイヤの直径を超える幅、深さの断面矩形の凹溝でもよいし、金属ワイヤの直径を超える径を有する円形底部を有する円形溝であってもよい。ベルトで縛る場合には、ベルトの幅を超える幅、ベルトの厚さを超える深さの断面矩形の凹溝とすることが好ましい。金属ワイヤ、ベルトを含めコイルを縛る部材を、本明細書ではバンドと総称することとする。
コイルを縛るバンドを挿通する凹溝の他に、特許文献１等に見られる、リールマークあるいはトップマーク防止用の対策を施してもよいことは付記するまでもない。
【００１２】
巻き取りスリーブの材質としては、従前通りゴムでも紙でも構わない。
紙製のスリーブの場合、所望径の紙製円筒体を所望長さに裁断して使用する。材質が紙であるため、表面に設ける凹溝も容易に形成することが可能である。
また、ゴム製のスリーブの場合は、紙製よりも耐久性があり使い回しできるため、コスト面で有利である。
【００１３】
次に、上記巻き取りスリーブ２を用いて、金属帯を巻き取り結束する態様について説明する。
金属帯処理ラインの巻き取り設備における巻き取り軸にセグメントを介して上記スリー２ブを取り付けた後、通常と同じ態様で金属帯を巻き取る。金属帯を巻き取った後、金属帯コイル１を円筒状スリーブ２とともに巻き取り軸から外す。その後、図４に示すように、円筒状スリーブ２に設けた各凹溝４に結束用金属ワイヤを挿通し、金属ワイヤを結束して金属帯コイル１を固定する。本態様ではバンド３として金属ワイヤを用いているが、プラスチックからなるベルトであっても構わない。
その後、金属帯コイル１から円筒状スリーブ２を抜き取って金属帯コイル１の結束作業を終了する。金属帯コイル１はベルトや金属ワイヤにより結束・固定されているので、円筒状スリーブの抜き取り時にバラけることはなく、結束作業が円滑に行える。
【００１４】
以上、金属帯を巻き取った後、金属帯コイルを円筒状スリーブとともに巻き取り軸から外し、その後に、円筒状スリーブに設けた各凹溝に結束用金属ワイヤを挿通し、金属ワイヤを結束して金属帯コイルを固定する態様について説明した。しかし、円筒状スリーブに金属帯コイルを巻き取った後、円筒状スリーブを巻き取り軸から外す前に円筒状スリーブに設けた各凹溝に結束用金属ワイヤを挿通し、金属ワイヤを結束して金属帯コイルを固定してもよい。この場合は、金属ワイヤで金属帯コイルを固定した後、円筒状スリーブが巻き取り軸から外され、その後に円筒状スリーブを固定された金属帯コイルから抜き取ることになる。
【実施例】
【００１５】
板厚１．０ｍｍ、幅１１０ｍｍのＳＵＳ３０４コイルを幅１０ｍｍで１０条にスリットした例を紹介する。
スリットラインはコイルを巻き解くアンコイラーから始まり、鋼板を１０ｍｍ幅の１０条にスリットするように刃が組まれたスリッターを通板し、長さ調整用のループからコイルを巻き取るために必要なテンションを掛けるテンションパットを通過し、巻き取り軸に取り付けられた幅１０ｍｍの紙スリーブに巻き取られるものである。
スリーブとして、外径が５３８ｍｍで、互いに１２０度方向の3ヶ所に、幅12ｍｍ、深さ５ｍｍの溝を設けた紙スリーブを用いた。スリッターのライン速度は３０ｍ／ｍｉｎの速度で走行し、テンションは1条当たり３５ｋｇのテンションが掛かるように設定した。
コイルの直径が９００mmになるまで巻き取り、巻き取り軸からコイルを取り外し、縦置きのコイル置き台に運搬する。次に紙スリーブに設けられた溝に幅１０ｍｍ、厚さ約０．５ｍｍのプラスチックバンドを通し専用道具で締め付けた後、紙スリーブを手で抜き取ることにより、帯鋼板がバラけることなく内径にスリーブのない帯鋼板コイルを作製することができた。
【図面の簡単な説明】
【００１６】
【図１】巻取り軸の外周に取り付けたセグメントに直接金属帯を巻き取ったときの金属帯コイルの変形状況を説明する図
【図２】巻き取り軸装着したスリーブに金属帯を巻き取った後に金属帯コイルだけをバンド止めする態様を説明する図
【図３】表面軸方向に２つ以上の凹溝を設けた本発明スリーブの断面形状を説明する図
【図４】本発明の金属帯コイル結束方法を説明する図
【符号の説明】
【００１７】
１：金属帯コイル        ２：円筒状スリーブ        ３：バンド        ４：凹溝
【図１】
2010099661.tif 000003
【図２】
2010099661.tif 000004
【図３】
2010099661.tif 000005
【図４】
2010099661.tif 000006